(57)【要約】      （修正有）【課題】連続撮影して１駒内に複数駒分の画像を形成して記録する場合の記録間隔と１画面内に形成された複数駒の各画像サイズの設定が可能な画像記録装置を提供する。【解決手段】この撮像システムはデジタルスチルカメラ本体２と、レンズユニット、ＣＣＤ、ＣＣＤを駆動するタイミングＳＧ、Ａ／Ｄ変換器から構成されている入力装置３と、表示制御部４ａ、画像処理部４ｂ、データ圧縮部４ｃ、データ伸張部４ｄから構成されている画像処理ＬＳＩ４と、システムクロック制御装置５と、表示装置６と、画像を圧縮して記憶するフレームメモリ７と、マイクロコンピューターからなるシステム制御部８と、フレームメモリ７の画像データを伸張して記憶するメモリカード９と、撮影を指示するレリーズキー、及びその他の各種設定を外部から行うためのボタンを備えているキー操作部１０と、各部を接続するバス１１とを備えて構成される。【選択図】      図１
2004242042.tif 000002
【特許請求の範囲】
【請求項１】
撮像手段により撮像された画像データを圧縮する圧縮手段と、前記画像データを記録媒体に記録する記録手段と、複数駒分の画像を１駒分の画面内に形成して記録する連続撮影と１駒撮影との何れかを選択する撮影動作選択手段と、を備えた画像記録装置において、
前記撮影動作選択手段により連続撮影の撮影動作が選択された場合、１画面内に記録する駒数を所定の数に設定する駒数設定手段を更に備えたことを特徴とする画像記録装置。
【請求項２】
撮像手段により撮像された画像データを圧縮する圧縮手段と、前記画像データを記録媒体に記録する記録手段と、複数駒分の画像を１駒分の画面内に形成して記録する連続撮影と１駒撮影との何れかを選択する撮影動作選択手段とを備えた画像記録装置において、
前記撮影動作選択手段により連続撮影の撮影動作が選択された場合、１画面内に記録する各駒のサイズを所定のサイズに設定する駒サイズ設定手段を更に備えたことを特徴とする画像記録装置。
【請求項３】
前記記録手段は、前記駒サイズ設定手段により設定された各駒のサイズ及び位置情報の少なくとも一方を前記画像データと共に前記記録媒体に記録することを特徴とする請求項２に記載の画像記録装置。
【請求項４】
撮像手段により撮像された画像データを圧縮する圧縮手段と、前記画像データを記録媒体に記録する記録手段と、複数駒分の画像を１駒分の画面内に形成して記録する連続撮影と１駒撮影とを選択する撮影動作選択手段とを備えた画像記録装置において、
前記撮影動作選択手段により連続撮影の撮影動作が選択された場合、連続記録する駒間の時間を設定する駒間時間設定手段を更に備えたことを特徴とする画像記録装置。
【請求項５】
前記記録手段は、前記駒間時間設定手段により設定された駒間の時間を前記画像データと共に前記記録媒体に記録することを特徴とする請求項４に記載の画像記録装置。
【請求項６】
前記記録手段は、前記撮影動作選択手段により連続撮影動作として撮影された画像を、前記連続撮影動作の画像である旨を示す情報と共に前記記録媒体に記録することを特徴とする請求項１乃至５の何れか一項に記載の画像記録装置。
【請求項７】
前記記録手段は、前記撮影動作選択手段により連続撮影動作として撮影された画像を、前記連続撮影動作の１画面に撮影された駒数の情報と共に前記記録媒体に記録することを特徴とする請求項１乃至６の何れか一項に記載の画像記録装置。
【請求項８】
前記画像記録装置の各部の動作クロックを切り替える動作クロック制御手段を備え、前記動作クロック制御手段により動作クロックを切り替えることによって前記連続撮影の間隔を制御することを特徴とする請求項４乃至７の何れか一項に記載の画像記録装置。
【請求項９】
記録されている画像データを読み出す読出し装置と、圧縮データを伸張する伸張手段と、前記画像データを表示する表示手段とを備えた画像再生装置において、
前記表示手段に表示する画像が連続撮影動作で撮影された画像である場合、全画面を表示する通常表示機能と複数駒のうちの１駒だけを拡大表示する駒表示機能との何れかを選択する表示機能設定手段を更に備えたことを特徴とする画像再生装置。
【請求項１０】
前記表示機能設定手段により前記駒表示機能が選択された場合、自動的に駒送りをする自動駒送り機能と１駒ずつ駒送りの指示により駒送りをする手動駒送り機能との何れかを選択する駒送りモード選択手段を更に備えたことを特徴とする請求項９に記載の画像再生装置。
【請求項１１】
前記画像データと共に記録している情報を読み出す情報読出し手段を更に備え、該情報読出し手段により読み出した情報に撮影時の撮影間隔が記録されている場合、自動駒送り動作を前記撮影間隔と同じ間隔で行うことを特徴とする請求項９乃至１０の何れか一項に記載の画像再生装置。
【請求項１２】
前記駒送りモード選択手段により自動駒送り機能が選択された場合、自動駒送り時の再生間隔を設定する再生間隔設定手段を更に備えたことを特徴とする請求項９乃至１１の何れか一項に記載の画像再生装置。
【発明の詳細な説明】
【０００１】
【発明の属する技術分野】
本発明は、画像記録・再生装置に関し、さらに詳しくは、デジタルスチルカメラ等の連続撮影に関するものである。
【０００２】
【従来の技術】
従来技術として特開平８−１２５９５７号公報には、連続撮影時は通常撮影時の１駒分の画面に複数駒分の画面を同時に形成してからデータを圧縮し、記録するデジタルスチルカメラについて開示されている。通常１枚撮影の連写の場合、一枚ごとに圧縮とファイル書き込みを行うか、連写した画像を全てフレームメモリに一時保存する方法がある。前者の場合は一枚ごとに処理が必要になるため処理に時間がかかり、高速処理が可能なハードウェアがない限り連写間隔を高速にすることはできない。また後者の場合は画像を一時保存するための大容量のフレームメモリが必要になる。この連続撮影モードは、各画像の詳細部分を必要とせず、高速で変化している被写体の変化状況を撮影する場合に、高価なハードウェアを必要とせずに実現する有効なモードである。
【特許文献１】特開平８−１２５９５７号公報
【０００３】
【発明が解決しようとする課題】
しかし特許文献１の発明では撮影の処理について示されているが、記録における間隔の設定やサイズの設定などについては示されていない。更に再生方法についても示されていない。
本発明は、かかる課題に鑑み、連続撮影して１駒内に複数駒分の画像を形成して記録する場合の記録間隔と１画面内に形成された複数駒の各画像サイズの設定が可能な画像記録装置を提供することを目的する。
また他の目的は、通常撮影した１駒画像と同様の再生に加え、容易に変化の状況を確認できる駒送り再生が可能な画像再生装置を提供することである。
【０００４】
【課題を解決するための手段】
本発明はかかる課題を解決するために、請求項１は、撮像手段により撮像された画像データを圧縮する圧縮手段と、前記画像データを記録媒体に記録する記録手段と、複数駒分の画像を１駒分の画面内に形成して記録する連続撮影と１駒撮影との何れかを選択する撮影動作選択手段とを備えた画像記録装置において、前記撮影動作選択手段により連続撮影の撮影動作が選択された場合、１画面内に記録する駒数を所定の数に設定する駒数設定手段を更に備えたことを特徴とする。記録被写体の変化の状況を把握する場合など、条件により連続記録が必要な駒数が決まる場合がある。この連続記録モードでは、１画面内に連続記録するため、１画面内に記録する駒数が多くなれば、それだけ１駒ごとの画像サイズを小さくしなければならなくなる。つまり画面縮小により被写体の情報量を減らさなければならない。そこで本発明では、記録駒数の設定ができるようにして、少ない駒数が必要なときは１駒ごとの画像を大きくすることが可能になり、多くの情報量を記録することができる。
かかる発明によれば、記録駒数の設定ができるので、少ない駒数が必要なときは１駒ごとの画像を大きくすることが可能になり、それにより多くの情報量を記録することができる。
請求項２は、撮像手段により撮像された画像データを圧縮する圧縮手段と、前記画像データを記録媒体に記録する記録手段と、複数駒分の画像を１駒分の画面内に形成して記録する連続撮影と１駒撮影との何れかを選択する撮影動作選択手段とを備えた画像記録装置において、前記撮影動作選択手段により連続撮影の撮影動作が選択された場合、１画面内に記録する各駒のサイズを所定のサイズに設定する駒サイズ設定手段を更に備えたことを特徴とする。
連写中の何駒目から何駒分が重要な画像であるということがあらかじめ特定できている場合などは、重要な画像については画像サイズを大きくすることで情報を多く残すことができる。また分割数を設定することで、あらかじめ記録可能な駒数上限を知ることができる。本発明は各駒のサイズを所定のサイズに設定できるようにしたものである。
かかる発明によれば、１画面内に記録する各駒のサイズを設定できるので、重要な画像については画像サイズを大きくすることで情報を多く残すことができる。
【０００５】
請求項３は、前記記録手段は、前記駒サイズ設定手段により設定された各駒のサイズ及び位置情報の少なくとも一方を前記画像データと共に前記記録媒体に記録することを特徴とする。
撮影後の再生において、１駒のみを拡大再生するときなどに、各駒サイズが記録されていることが必要である。
かかる発明によれば、各駒ごとの拡大再生をする場合に、画面内の各駒サイズ検索を行わなくても駒の拡大再生が可能になる。
請求項４は、撮像手段により撮像された画像データを圧縮する圧縮手段と、前記画像データを記録媒体に記録する記録手段と、複数駒分の画像を１駒分の画面内に形成して記録する連続撮影と１駒撮影とを選択する撮影動作選択手段とを備えた画像記録装置において、前記撮影動作選択手段により連続撮影の撮影動作が選択された場合、連続記録する駒間の時間を設定する駒間時間設定手段を更に備えたことを特徴とする。
本発明は連続撮影する場合の撮影間隔を指定するものである。被写体の変化がゆっくりの場合、高速の連続撮影にしてしまうと、同じような画像が多く撮影されてしまいデータ量が増えてしまう。駒間隔にあわせて撮影を行うことで、必要なデータのみを撮影することができる。
かかる発明によれば、駒間隔の時間設定をすることで、ゆっくりと変化している被写体などで不要な画像を記録することがなくなり、必要な画像のみを記録することができる。
請求項５は、前記記録手段は、前記駒間時間設定手段により設定された駒間の時間を前記画像データと共に前記記録媒体に記録することを特徴とする。
本発明は連続撮影した駒間隔を画像とともに記録するものである。駒サイズと同様にファイルヘッダに記録しても良いし、別ファイルとして記録してもよい。この情報を記録してあれば、各駒内の被写体の位置から被写体の移動速度を測定することができる。また各駒ごとに拡大再生を行う場合に、この情報を使うことで被写体の変化の状況を再現することができる。
かかる発明によれば、撮影時の駒間隔を記録しておくことで、撮影後に駒間の経過時間を知ることができ、時間と被写体の変化との関係を知ることができる。
【０００６】
請求項６は、前記記録手段は、前記撮影動作選択手段により連続撮影動作として撮影された画像を、前記連続撮影動作の画像である旨を示す情報と共に前記記録媒体に記録することを特徴とする。
本発明は連続撮影して通常１駒撮影した場合のエリア内に複数駒の画像が記録されていることを示す情報を画像とともに記録するものである。この情報は、画像のヘッダ情報として書く場合と、別の情報ファイルに書く場合と、画像のファイル名自体を連続撮影であることが認識できるようにする場合などが考えられる。再生時にこの情報を認識できれば、自動で各駒再生が可能になり、所定の操作により各駒再生を選択するようにすることもできる。
かかる発明によれば、連続撮影された情報が画像と共に記録されるので、再生時に駒単位での駒送り再生が可能になる。
請求項７は、前記記録手段は、前記撮影動作選択手段により連続撮影動作として撮影された画像を、前記連続撮影動作の１画面に撮影された駒数の情報と共に前記記録媒体に記録することを特徴とする。
本発明は連続撮影した駒数を画像とともに記録したものである。例えば５駒記録をしているデータでは、記録されている駒数がないと６駒目の画像がない部分についても駒再生をしてしまう。そこで本発明では、駒数を画像とともに記録するようにして、駒再生ではこの駒数を読み出し、駒送りをする回数を設定することができる。
かかる発明によれば、再生時の１駒単位駒送りが可能な再生装置において、再生後の画像解析を行わなくても、駒送り枚数を知ることができる。
請求項８は、前記画像記録装置の各部の動作クロックを切り替える動作クロック制御手段を備え、前記動作クロック制御手段により動作クロックを切り替えることによって前記連続撮影の間隔を制御することを特徴とする。
本発明は連続撮影間隔を動作クロック制御手段のクロック制御によって実現するものである。ＣＣＤを入力装置に使っていた場合には、クロックを切り替えずに連続撮影間隔を設定すると、ＣＣＤのデータ読み出しサイクル単位でしか設定ができないが、ＣＣＤの動作クロック自体を切り替える方法を用いれば、読み出しサイクル自体を変更でき、連続撮影間隔変更の自由度を大きくすることができる。
かかる発明によれば、連続撮影間隔の変更を動作クロックで変更することで、撮影間隔設定の自由度を増すことができ、低消費電力も実現できる。
【０００７】
請求項９は、記録されている画像データを読み出す読出し装置と、圧縮データを伸張する伸張手段と、前記画像データを表示する表示手段とを備えた画像再生装置において、前記表示手段に表示する画像が連続撮影動作で撮影された画像である場合、全画面を表示する通常表示機能と複数駒のうちの１駒だけを拡大表示する駒表示機能との何れかを選択する表示機能設定手段を更に備えたことを特徴とする。
本発明は連続撮影した画像の全体を表示することと各駒を拡大表示することが選択できるようにする。全体の変化状況の確認や必要な駒を特定する場合には全体表示は有効である。それに対して変化の流れや詳細を確認する場合は、各駒拡大表示が有効である。そこで本発明では、表示手段に表示する画像の全体を表示することと各駒を拡大表示することを選択可能とした。
かかる発明によれば、表示手段に表示する画像の全体を表示することと各駒を拡大表示することを選択できるので、連続撮影された画像の駒送りをすることができる。
請求項１０は、前記表示機能設定手段により前記駒表示機能が選択された場合、自動的に駒送りをする自動駒送り機能と１駒ずつ駒送りの指示により駒送りをする手動駒送り機能との何れかを選択する駒送りモード選択手段を更に備えたことを特徴とする。
本発明は各駒を拡大表示をする場合に、自動で駒送りをする場合と操作部からの操作により駒送りをする場合とが選択できるようにしたものである。駒送りはフレームメモリ上にある各駒データについて、表示制御部がデータを読み出す位置を変更することで実現される。
かかる発明によれば、駒送りを自動と手動に選択できるので、自動駒送りにより連続撮影された画像の表示において、容易に変化を観察することができる。
【０００８】
請求項１１は、前記画像データと共に記録している情報を読み出す情報読出し手段を更に備え、該情報読出し手段により読み出した情報に撮影時の撮影間隔が記録されている場合、自動駒送り動作を前記撮影間隔と同じ間隔で行うことを特徴とする。
本発明は画像とともに記録されている情報読み出し手段を備え、自動駒送り表示モードが選択されていて、情報ファイルに連続撮影された記録間隔が記述されている場合、駒送り間隔をこの撮影間隔にあわせれば、時間とともに変化した状況を再現することができる。
かかる発明によれば、連続撮影したときの間隔情報を利用して再生することで、時間の経過とともに変化する被写体を容易に再現できる。
請求項１２は、前記駒送りモード選択手段により自動駒送り機能が選択された場合、自動駒送り時の再生間隔を設定する再生間隔設定手段を更に備えたことを特徴とする。
本発明は自動駒送りが設定されている場合に、駒送り間隔を設定することができるようにした。これにより駒数が非常に多くなった場合、早く駒送りをすることで変化状況の確認には便利であり、またゆっくりと変化の状況を確認することも可能になる。
かかる発明によれば、再生間隔を設定できるので、変化の状態をゆっくり確認することや全体の動きを一気に確認するなどの多彩な再生方法が実現できる。
【０００９】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
本実施形態は、画像入力装置をデジタルスチルカメラの撮像モジュールとしたデジタルスチルカメラ撮像システムを用いているが、カメラシステムに限定するものではなく、画像入力装置としてＴＶ等のビデオ信号でも良い。
【００１０】
図１は、本発明の実施形態に係わる撮像システムの概略図である。この撮像システムはデジタルスチルカメラ本体２と、図示しないレンズユニット、ＣＣＤ、ＣＣＤを駆動するタイミングＳＧ（制御信号発生器）、ＣＣＤ出力電気信号（アナログ画像データ）をデジタル信号に変換するＡ／Ｄ変換器から構成されている入力装置３と、表示制御部４ａ、画像処理部４ｂ、データ圧縮部４ｃ、データ伸張部４ｄから構成されている画像処理ＬＳＩ４と、装置全体のクロックを切り替えるシステムクロック制御装置５と、撮像した画像を表示する表示装置６と、撮像した画像を圧縮して記憶するフレームメモリ７と、図示しない、ＣＰＵ、ＲＯＭ、ＲＡＭ等からなるマイクロコンピュータ（以下マイコン）からなるシステム制御部８と、フレームメモリ７の画像データを伸張して記憶するメモリカード９と、撮像装置の動作指示を行うためのものであり、撮影を指示するレリーズキー、及びその他の各種設定を外部から行うためのボタンを備えているキー操作部１０と、各部を接続するバス１１とを備えて構成される。
被写体１を撮像して入力装置３から入力されたデジタルデータは、画像処理部４ｂで所定の画像処理が施された後に、フレームメモリ７に一時保管される。表示制御部４ａはフレームメモリ７に書き込まれたデータを表示装置６におくり、撮影画像の表示を行う。撮影時は、データ圧縮部４ｃはフレームメモリ７に書き込まれたデータをＪＰＥＧ等の圧縮方式により圧縮し、フレームメモリ７を介して処理結果をメモリカード９の記憶部に出力する。再生時は、メモリカード９内に記録されている画像データをフレームメモリ７に読み出し、このフレームメモリ７の画像データはデータ伸張部４ｄに送られ伸張され、フレームメモリ７に書き戻される。伸張された画像データは表示制御部４ａによって読み出されて、表示装置６によって表示される。
【００１１】
システム制御部８は、図示しない、ＣＰＵ、ＲＯＭ、ＲＡＭ等からなるマイクロコンピュータ（以下マイコン）からなり、このＣＰＵは、ＲＯＭに格納されたプログラムに従ってＲＡＭを作業領域として使用して、キー操作部１０からの指示、或は図示しないリモコン等の外部動作指示、或はパーソナルコンピュータ等の外部端末からの通信による通信動作指示に従い、デジタルスチルカメラ本体２の全動作を制御する。具体的には、システム制御部８は、撮像動作制御、画像処理装置における画像処理パラメータの設定、メモリコントロール、表示制御を行う。
キー操作部１０は、デジタルスチルカメラ本体２の動作指示を行うためのものであり、撮影を指示するレリーズキー、及びその他の各種設定を外部から行うためのボタンを備えている。そして連続撮影動作時は、入力装置３から入力された画像データに対して、画像処理部４ｂで間引きや縮小の処理が行われてフレームメモリ７に書き込まれる。これを順次連続してフレームメモリ７の書き込みアドレスをずらしながら書き込みを行い、通常撮影時の１駒分のエリア中に連続撮影した画像を配置する。これを通常撮影と同様に圧縮処理を行った後にメモリカード９へ記録する。
また高速で連続撮影を実現する場合、入力装置３からのデータ自体を通常撮影時よりも減らす方法もある。この場合画像処理部で処理するデータ量を減少させることができ、高速に処理ができるようになる。例えば入力装置３をＣＣＤとして、ＣＣＤからの出力データを垂直方向に１／４間引き取り出しをすることで、ＣＣＤからの取り込みサイクルを１／４にすることができる。また連続撮影の間隔を変更するには、処理を行う動作速度（クロック）を変更する方法も考えられる。ＣＣＤを入力装置として使っている場合、クロックを切り替えずに設定できる連続撮影間隔はＣＣＤの読み出しサイクルとなってしまう。ＣＣＤを駆動するクロックを切り替えれば、ＣＣＤの読み出しサイクルを変更することができるため、設定可能な連続撮影間隔の自由度を大きくできる。
連続撮影した画像を再生する場合は、通常再生として複数駒が記録されているデータを１つの画像として表示するモードと、その中の１つを拡大再生して各駒を１つの画像として表示する駒再生モードがある。駒再生モードでは、フレームメモリ７に伸張された画像データの中から最初に撮影された画像がまず拡大表示され、その後キー操作部１０の指示により、表示開始アドレスを移動させながら、各駒の再生が行われる。
【００１２】
本発明の第１の実施形態では、連続撮影時の１画面内に記録する画像の数を設定できるようしたのものである。図２はフレームメモリ７に５駒分が記録されている画像７ａと４駒分が記録されている画像７ｂがフレームメモリ７上に配置されたイメージを示している。このように通常１駒分のエリア内に何枚分を記録する設定を図１のキー操作部１０から設定を行う。あらかじめ指定された通常１駒記録用のエリア内に５駒分と４駒分を記録する場合は、連続撮影をした場合の１駒あたりに割り当てることができるサイズが変更できる。連続撮影をする必要がある駒数が少ない場合は、できるだけ画像情報を少なくしないため、１駒ごとのサイズを自動的に変更することができる。また連続撮影をする駒数が少ないが、それに対応して１駒ごとのサイズを大きくしてしまう場合、圧縮結果の画像データ量は大きくしたくない場合は、４駒連続撮影した場合でも５駒記録した画像の各駒と同じサイズの駒画像を記録することで、データ量を少なくすることもできる。
本発明の第２の実施形態では、連続撮影時の各駒画像のサイズをキー操作部１０から指定できるようにしたものである。例えば第１の実施形態で設定している記録駒数から、図２のように均等分割したサイズを指定することも可能である。または第１の実施形態の説明で述べたように、記録駒数は少ないが記録データ量を減らすために、１駒ごとのサイズを小さくすることもできる。さらに連続記録する画像の中で重要な駒が何番目にあるかなどが予め判っていれば、その駒だけを大きくすることもできる。
本発明の第３の実施形態では、本発明の第２の実施形態で記録した各駒サイズと位置を画像データとともに記録するものである。画像がＪＰＥＧファイルであれば、ファイルのヘッダに記録することができる。または別の情報記録用ファイルとして記録することも可能である。この情報は図２のように各駒ごとの拡大再生をする場合に、画面内の各駒サイズ検索を行わなくても駒拡大再生が可能になる。
【００１３】
本発明の第４の実施形態では、連続撮影する場合の撮影間隔を指定するものである。被写体の変化がゆっくりの場合、高速の連続撮影にしてしまうと、同じような画像が多く撮影されてしまいデータ量が増えてしまう。駒間隔にあわせて撮影を行うことで、必要なデータのみを撮影することができる。
本発明の第５の実施形態では、連続撮影した駒間隔を画像とともに記録するものである。駒サイズと同様にファイルヘッダに記録しても良いし、別ファイルとして記録してもよい。この情報が記録してあれば、各駒内の被写体の位置から被写体の移動速度を測定することができる。また各駒ごとに拡大再生を行う場合に、この情報を使うことで被写体の変化の状況を再現することができる。
本発明の第６の実施形態では、連続撮影して通常１駒撮影した場合のエリア内に複数駒の画像が記録されていることを示す情報を画像とともに記録するものである。この情報は、画像のヘッダ情報として書くことと別の情報ファイルに書くことと、画像のファイル名自体を連続撮影であることが認識できるようにすることなどが考えられる。再生時にこの情報を認識できれば、自動で各駒再生が可能になるし、ある操作により各駒再生を選択するようにすることもできる。
本発明の第７の実施形態では、連続撮影した駒数を画像とともに記録したものである。図２の５駒記録をしているデータ７ａでは、記録されている駒数がないと６駒目の画像がない部分についても駒再生をしてしまう。そのため駒再生では、この駒数を読み出し、駒送りをする回数を設定することができる。
本発明の第８の実施形態では、連続撮影した画像の全体を表示することと各駒を拡大表示することが選択できるようにした。全体の変化状況を確認や必要な駒を特定する場合に全体表示は有効である。変化の流れや詳細を確認する場合は各駒拡大表示が有効であるため、選択を可能とした。図２の７ｃがフレームメモリ７に伸張された連続撮影画像の各駒を拡大表示しているイメージ図である。
本発明の第９の実施形態では、各駒拡大表示をする場合に、自動で駒送りをする場合と操作部からの操作により駒送りをする場合とが選択できるようにしたものである。駒送りは図２のフレームメモリ７上にある各駒データについて、表示制御部４ａがデータを読み出す位置を変更することで実現される。
【００１４】
本発明の第１０の実施形態では、画像とともに記録されている情報読み出し手段がある。自動駒送り表示モードが選択されていて、情報ファイルに連続撮影された記録間隔が記述されている場合、駒送り間隔をこの撮影間隔にあわせれば、時間とともに変化した状況を再現することができる。
本発明の第１１の実施形態では、自動駒送りが設定されている場合に駒送り間隔を設定することができるようにした。駒数が非常に多くなった場合、早く駒送りをすることで変化状況の確認には便利であり、またゆっくりと変化の状況を確認することも可能になる。
本発明の第１２の実施形態では、連続撮影間隔を図１のシステムクロック制御装置５のクロック制御によって実現するものである。ＣＣＤを入力装置に使っていた場合には、クロックを切り替えずに連続撮影間隔を設定すると、ＣＣＤのデータ読み出しサイクル単位でしか設定ができないが、ＣＣＤの動作クロック自体を切り替える方法を用いれば、読み出しサイクル自体を変更ができ、連続撮影間隔変更の自由度を大きくすることができる。更にこの方法を使った場合、低速では消費電力の削減を実現できる。例えば撮影システムが低消費電力モードの設定が可能な場合は、連続撮影時の間隔を長くすることなども可能であり、低消費電力を目的とした撮影間隔設定とすることもできる。
【００１５】
【発明の効果】
以上記載のごとく請求項１の発明によれば、記録駒数の設定ができるので、少ない駒数が必要なときは１駒ごとの画像を大きくすることが可能になり、それにより多くの情報量を記録することができる。
また請求項２では、１画面内に記録する各駒のサイズを設定できるので、重要な画像については画像サイズを大きくすることで情報を多く残すことができる。また請求項３では、各駒ごとの拡大再生をする場合に、画面内の各駒サイズ検索を行わなくても駒の拡大再生が可能になる。
また請求項４では、駒間隔の時間設定をすることで、ゆっくりと変化している被写体などで不要な画像を記録することがなくなり、必要な画像のみを記録することができる。
また請求項５では、撮影時の駒間隔を記録しておくことで、撮影後に駒間の経過時間を知ることができ、時間と被写体の変化との関係を知ることができる。
また請求項６では、連続撮影された情報が画像と共に記録されるので、再生時に駒単位での駒送り再生が可能になる。
また請求項７では、再生時の１駒単位駒送りが可能な再生装置において、再生後の画像解析を行わなくても、駒送り枚数を知ることができる。
また請求項８では、連続撮影間隔の変更を動作クロックで変更することで、撮影間隔設定の自由度を増すことができ、低消費電力も実現できる。
また請求項９では、表示手段に表示する画像の全体を表示することと各駒を拡大表示することを選択できるので、連続撮影された画像の駒送りをすることができる。
また請求項１０では、駒送りを自動と手動に選択できるので、自動駒送りにより連続撮影された画像の表示において、容易に変化を観察することができる。
また請求項１１では、連続撮影したときの間隔情報を利用して再生することで、時間の経過とともに変化する被写体を容易に再現できる。
また請求項１２では、再生間隔を設定できるので、変化の状態をゆっくり確認することや全体の動きを一気に確認するなどの多彩な再生方法が実現できる。
【図面の簡単な説明】
【図１】本発明の実施形態に係わる撮像システムの概略図である。
【図２】本発明のフレームメモリ７に５駒分が記録されている画像７ａと４駒分が記録されている画像７ｂがフレームメモリ７上に配置されたイメージを示している図である。
【符号の説明】
２  デジタルスチルカメラ本体、３  入力装置、４  画像処理ＬＳＩ、５  システムクロック制御装置、６  表示装置、７  フレームメモリ、８  システム制御部、９  メモリカード、１０  キー操作部、１１  バス
【図１】
2004242042.tif 000003
【図２】
2004242042.tif 000004